Podtech/llm-jp-corpus-v4-ja_patent huggingface dataset:
【手続補正書】
【提出日】平成21年9月3日(2009.9.3)
【手続補正１】
【補正対象書類名】特許請求の範囲
【補正対象項目名】全文
【補正方法】変更
【補正の内容】
【特許請求の範囲】
【請求項１】
プロテーゼ（２）に対する結合部（４）と、骨に形成された穴の中に係合する係合部（５）とを有する関節プロテーゼのアンカーピンであって、前記係合部（５）が半径方向に弾性的に少なくとも部分的に変形可能であり、ピン（１）が前記穴を瞬間的に塞ぎ前記プロテーゼ（２）を前記骨に一次固定させ；
前記係合部（５）が、係合部（５）の外表面（８）から遠ざかるように発達し、骨に形成された穴の内壁に干渉することになる複数の弾性羽（７）を有し；
骨橋が形成されるまで骨誘導物質を収容し延髄液の通過を可能にするため、係合部（５）が、少なくとも部分的に中空であり、開口部（１１ａ，１１ｂ）を備え；
前記係合部（５）が、前記羽（７）どうしを区切り前記開口部（１１ａ，１１ｂ）を区画する複数の切り込み（１３）を有する円筒壁（１２）で構成されることを特徴とするアンカーピン。
【請求項２】
前記各羽（７）が、前記結合部（４）に向けられている自由端（９）を有することを特徴とする請求項１に記載のピン。
【請求項３】
前記羽（７）の自由端（９）が尖っていることを特徴とする請求項２に記載のピン。
【請求項４】
各羽（７）が、前記円筒壁（１２）と連結されている一辺（２０）と、前記結合部（４）に向けられている自由頂点（９）とをもつ三角形状を有することを特徴とする請求項１に記載のピン。
【請求項５】
各羽（７）が、前記円筒壁（１２）に連結された短辺（１４）と、前記結合部（４）に向けられている自由端（９）とを有し、主にピン（１）の長手方向軸（Ｘ）と平行な方向に沿って発達している長方形状を有することを特徴とする請求項１に記載のピン。
【請求項６】
各羽（７）が曲線状であり、かつピン（１）の外側に向かって凹面状であることを特徴とする請求項４または５に記載のピン。
【請求項７】
小型の円筒形の前記骨誘導物質の収容を可能にするため、前記結合部（４）の反対側の係合部（５）の一端（２４）が開口していることを特徴とする請求項１に記載のピン。
【請求項８】
前記結合部（４）が、プロテーゼ（２）と係合するネジ山（６）を有することを特徴とする請求項１〜７のいずれかに記載のピン。
【請求項９】
請求項１〜８の少なくともいずれかに記載のピン（１）を少なくとも一つ含むことを特徴とする関節プロテーゼ。
【請求項１０】
膝プロテーゼであることを特徴とする請求項９に記載のプロテーゼ。
【請求項１１】
肩の関節プロテーゼであることを特徴とする請求項９に記載のプロテーゼ。
【請求項１２】
かかとの関節プロテーゼであることを特徴とする請求項９に記載のプロテーゼ。
【請求項１３】
大腿半月であることを特徴とする請求項９に記載のプロテーゼ。
【請求項１４】
脛骨板であることを特徴とする請求項９に記載のプロテーゼ。
【請求項１５】
前記ピン（１）が、プロテーゼにねじで取り付けられることを特徴とする請求項９に記載のプロテーゼ。 
【請求項１６】
前記ピン（１）が、プロテーゼに溶接されることを特徴とする請求項９に記載のプロテーゼ。
【請求項１７】
前記ピン（１）が、プロテーゼと一体的であることを特徴とする請求項９に記載のプロテーゼ。
【請求項１８】
大腿骨の関節丘との結合が想定されている半月状板（３）と；前記板（３）とを結合する請求項１〜８の少なくとも１つに記載の少なくとも１つのピン（１）と；骨脛骨板と連結可能なアンカー板（３１）と、アンカー板（３１）に備えられた座部（３３）に装着可能な挿入部（３２）とを含む脛骨部品（３０）と；を含む膝関節プロテーゼであって；前記アンカー板（３１）が、周辺側面（５３）に配置された複数の突起（５２）を含み、脛骨部品（３０）が骨脛骨板に備えられた収容部を瞬間的に塞ぎ前記脛骨部品（３０）を前記脛骨板に一次固定させるようになっていることを特徴とする膝関節プロテーゼ。
【手続補正書】
【提出日】平成21年9月24日(2009.9.24)
【手続補正１】
【補正対象書類名】特許請求の範囲
【補正対象項目名】全文
【補正方法】変更
【補正の内容】
【特許請求の範囲】
【請求項１】
高圧のスチームが選択的に噴射されるように調節する噴射部材と、
前記噴射部材から噴射されたスチームが通過されるように中空部がその長手方向に貫通形成され、前記中空部には前記スチームの通過によって回転する回転手段が設けられた回転部と、
前記回転手段と結合されて前記回転手段と共に回転し、前記スチームを噴射する棒状のノズルを備えるノズル部と、を含み、
前記中空部の内面には、移動するスチームが回転するように所定ピッチのネジ線が形成され、
前記回転手段は、
前記スチームが流入される第１流入孔がその外部面に形成され、前記第１流入孔と連通される第１貫通孔がその長手方向に形成された円柱状の回転体と、
前記回転体と一体に形成され、前記第１貫通孔と連通される第２貫通孔がその長手方向に貫通形成され、前記ノズル部と結合される回転軸と、を含み
前記回転手段は前記ネジ線によって回転するスチームが前記第１流入孔に流入されることによって回転されて、
前記回転軸の外周面にはネジ部が形成されて前記ノズル部には前記ネジ部と係合するネジ山が形成されて前記回転軸と前記ノズル部がネジ結合されることを特徴とする高圧スチームを利用した消毒装置。
【請求項２】
高圧のスチームが選択的に噴射されるように調節する噴射部材と、
前記噴射部材から噴射されたスチームが通過されるように中空部がその長手方向に貫通形成され、前記中空部には前記スチームの通過によって回転する回転手段が設けられた回転部と、
前記回転手段と結合されて前記回転手段と共に回転し、前記スチームを噴射する棒状のノズルを備えるノズル部と、を含み、
前記回転手段は、
前記中空部の先端に設置されて、その側面に前記スチームが流入される第２流入孔が形成され、前記第２流入孔と連通されて前記スチームがノズル部に移動する第３貫通孔がその長手方向に形成され、前記ノズル部がその先端に結合される回転シャフトと、
前記回転シャフトの他の先端に設けられ、前記スチームの移動によって回転するプロペラと、を含むことを特徴とする高圧スチームを利用した消毒装置。
【請求項３】
前記回転手段の前方に設けられ、前記噴射部材から流入されるスチームが前記中空部の内面に密着されるように、前記スチームを拡散させる拡散手段をさらに含むことを特徴とする請求項１または２に記載の高圧スチームを利用した消毒装置。
【請求項４】
前記ノズルには、ブラシ部材が設けられたことを特徴とする請求項１または２に記載の高圧スチームを利用した消毒装置。
【請求項５】
前記ノズルは、冷温水器の冷・温水移動経路、浄水器の浄水移動経路、飲料自動販売機の排出管及びクーラーの空気吸入部のうち何れか一つに挿入されて回転し、前記スチームを噴射するように長手方向に長く形成されたことを特徴とする請求項１または２に記載の高圧スチームを利用した消毒装置。
【請求項６】
（ａ）棒状のノズルを冷温水器の冷・温水移動経路、浄水器の浄水移動経路、飲料自動販売機の排出管及びクーラーの空気吸入部のうち何れか一つに挿入する段階と、
（ｂ）噴射部材を用いて高圧のスチームを供給することで、前記ノズルを介して前記スチームを噴射して消毒する段階と、を含むことを特徴とする高圧スチームを利用した消毒方法。
【請求項７】
前記（ｂ）段階で、
前記噴射部材とノズルとの間には、前記スチームの通過によって回転する回転手段を含む回転部が設けられ、前記ノズルが前記回転手段の回転と共に回転し、前記スチームを噴射することを特徴とする請求項６に記載の高圧スチームを利用した消毒方法。
【請求項８】
前記ノズルは、所定の曲率を有するように形成されたことを特徴とする請求項６に記載の高圧スチームを利用した消毒方法。
【手続補正書】
【提出日】平成21年8月24日(2009.8.24)
【手続補正１】
【補正対象書類名】特許請求の範囲
【補正対象項目名】全文
【補正方法】変更
【補正の内容】
【特許請求の範囲】
【請求項１】
走査面の超音波画像を生成するように構成されたトランスデューサと、
前記トランスデューサに結合されている針ガイドと
を備え、
前記針ガイドが、該針ガイドに受け入れられる針が穿刺される体表面に垂直な平面内で回転可能であり、
前記平面が前記走査面に非平行となっている、超音波プローブ。
【請求項２】
前記針ガイドが前記走査面に平行な平面内にある軸線を中心として回転可能である、請求項１に記載の超音波プローブ。
【請求項３】
前記軸線を中心とする前記針ガイドの角変位を検出する角度位置検出器を含む、請求項１に記載の超音波プローブ。
【請求項４】
前記トランスデューサが前記角度位置検出器を備える、請求項３に記載の超音波プローブ。
【請求項５】
前記針ガイドがシャフトに接続され、前記角度位置検出器が前記シャフトに結合され、前記角度位置検出器が前記シャフトの角変位を検出する、請求項４に記載の超音波プローブ。
【請求項６】
前記角度位置検出器が前記走査面に対する前記針の角度位置を検出する、請求項３に記載の超音波プローブ。
【請求項７】
超音波画像に対する針の位置を追跡する装置であって、
走査面を有する携帯型超音波プローブと、
前記走査面に平行な平面内にある軸線を中心として回転する前記携帯型超音波プローブに結合された針ホルダを含む針誘導部であり、前記針ホルダが前記針ホルダから始まり前記走査面の中を通って延びる針経路を画成する、前記針誘導部と、
前記針誘導部によって生成される針経路のデータを使って前記針経路と前記走査面の交差部分を決定する回路と
を備える装置。
【請求項８】
前記回路が前記針ホルダの増分移動に応じて前記針経路と前記走査面の交差部分を決定する、請求項７に記載の装置。
【請求項９】
前記回路が前記針経路のデータと、前記針ホルダと前記走査面の間の距離を使って、前記携帯型超音波プローブから前記針経路と前記走査面の交差部分までの距離を算出する、請求項８に記載の装置。
【請求項１０】
前記針経路と前記走査面の交差部分が、前記針ホルダが回転する角度と前記トランスデューサに対する前記針ホルダの位置とから計算される、請求項７に記載の装置。
【請求項１１】
走査面を有する携帯型超音波プローブを使用した患者内ターゲット組織処置用の針を位置決めする方法であって、
前記走査面に対する角度位置を有する前記針を前記携帯型超音波プローブに装着するステップと、
患者に前記携帯型超音波プローブを配置するステップと、
前記ターゲット組織を含む前記走査面の二次元画像であり、前記ターゲット組織に対して予想される針位置の視覚指標を含む前記二次元画像を表示するステップと、
前記視覚指標の対応する動きを監視しながら前記走査面に平行な平面内にある軸線を中心として前記針を回転するステップと、
前記視覚指標が前記ターゲット組織と一致したとき前記ターゲット組織に前記針を設置するステップと
を備える方法。
【請求項１２】
前記針を設置する前記ステップが、前記走査面に直角な方向に前記患者に前記針を穿刺する工程を含む、請求項１１に記載の方法。
【請求項１３】
ターゲット組織に対する針の位置を追跡する方法であって、
走査面を有する携帯型超音波プローブを用意するステップと、
前記針から前記走査面に延びる針経路を有する前記針を前記携帯型超音波プローブの針ガイドに装着するステップと、
前記針ガイドを前記走査面に直角な平面内で回転するステップと、
前記針ガイドの回転に応じて前記針経路と前記走査面の交差部分を決定するステップと
を備え、
前記交差部分を決定する前記ステップは、針の回転に応じて針位置データを生成する工程を含み、
前記針位置データを生成する前記工程は、前記針ガイドが回転する連続角度に関する針位置データを生成する工程を含む、方法。
【請求項１４】
穿刺点を決定するシステムであって、
走査面を有する超音波プローブと
前記超音波プローブによって生成される前記走査面の超音波画像を表示するディスプレイと、
前記走査面に平行な平面内にある軸線を中心として前記超音波プローブに対して回転運動する、前記超音波プローブに結合される針ガイドと、
前記針ガイドに結合される位置検出器と、
前記位置検出器からデータを生成する回路と
を備え、
前記ディスプレイが、前記回路データに基づいて前記超音波画像とともに表示される予想針位置の視覚指標をさらに含む、システム。
【請求項１５】
前記位置データが前記針ガイドの回転運動が針位置の移動する視覚指標として前記ディスプレイに表示されるようにリアルタイムで生成される、請求項１４に記載のシステム。
【手続補正書】
【提出日】平成21年8月11日(2009.8.11)
【手続補正１】
【補正対象書類名】特許請求の範囲
【補正対象項目名】全文
【補正方法】変更
【補正の内容】
【特許請求の範囲】
【請求項１】
複数の研磨粒子と結合剤とを含む研磨物品であって、該結合剤が、ポリイソシアネートとポリオキシランとの反応によって形成されるポリマーを含み、その結果得られる結合剤が、ウレタン結合および尿素結合を実質的に含まない、研磨物品。
【請求項２】
複数の研磨粒子と結合剤とを含む研磨物品であって、該結合剤が、ポリイソシアネートとポリオキシランとの反応によって形成される第１ポリマー、および第２重合反応によって形成される第２ポリマーを含み、その結果得られる結合剤が、ウレタン結合および尿素結合を実質的に含まない、研磨物品。
【請求項３】
複数の研磨粒子を提供する工程、ポリイソシアネートとポリオキシランとの反応生成物によって形成されるポリマーを含む結合剤を提供する工程であって、その結果得られる結合剤が、ウレタン結合および尿素結合を実質的に含まない工程、並びに該研磨粒子と該結合剤を裏材上に分配する工程、を含む、請求項１または２に記載の研磨物品の製造方法。
【手続補正書】
【提出日】平成21年7月16日(2009.7.16)
【手続補正１】
【補正対象書類名】特許請求の範囲
【補正対象項目名】請求項１
【補正方法】変更
【補正の内容】
【請求項１】
FRET測定法を用いて生物学的プロセスを解明する方法であって、以下のステップ：
一対のFRETパートナーの第一のメンバーと結合した生体物質X及び前記FRETパートナー対の第二のメンバーと結合した第二の生体物質Yを、前記脂質膜を含む測定媒体に組み込み、ここで前記FRETパートナー対のエネルギー供与メンバーは長寿命を有し、並びに前記FRETパートナー対のメンバーは脂質膜の両側に位置し；
前記エネルギー供与メンバーの励起波長で前記測定媒体を励起し；そして
前記媒体中で発光された前記FRETシグナル又は該シグナルにおける変動を測定する、
を含むことを特徴とする、前記方法。
【手続補正２】
【補正対象書類名】特許請求の範囲
【補正対象項目名】請求項２２
【補正方法】変更
【補正の内容】
【請求項２２】
前記生体物質X又はYと前記ドナー及びアクセプター蛍光化合物の結合が以下の：共有結合による結合；ビオチン／ストレプトアビジン系又は６HIS／抗−６HIS抗体、FLAG／抗−FLAG抗体、DNP／抗−DNP抗体、GST／抗−GST抗体、c-myc／抗−c-myc抗体及びHA／抗−HA抗体系から選ばれるタグ／抗−タグ抗体系による間接的な結合；並びに標識される前記物質X又はYに特異的な抗体を介する結合から選ばれることを特徴とする、請求項１〜２１のいずれか１項に記載の方法。
【手続補正３】
【補正対象書類名】明細書
【補正対象項目名】００８７
【補正方法】変更
【補正の内容】
【００８７】
テルビウムクリプテートがユーロピウムクリプテートで置換された場合、又は１００，０００細胞を含むウエルについて、類似の結果が得られる。
【手続補正４】
【補正対象書類名】明細書
【補正対象項目名】００９１
【補正方法】変更
【補正の内容】
【００９１】
テルビウムクリプテートがユーロピウムクリプテートで置換された場合、又は１００，０００細胞を含むウエルについて、類似の結果が得られる。
【手続補正書】
【提出日】平成21年8月26日(2009.8.26)
【手続補正１】
【補正対象書類名】明細書
【補正対象項目名】０００３
【補正方法】変更
【補正の内容】
【０００３】
しかしながら、前記ピストンロッドのこの柔軟な性質の１つの欠点は、前記ピペットの口径部内での動作中においても前記ロッドが曲がり前記ピペットの内面に接触することにより、前記ピペットの内壁に残っている残留液と接触する状態となり、次に前記ピペットの内壁から前記ピストンロッドに移動したこの液体が、前記ロッドを引き出したとき前記ピペット使用者の親指または手指に付着する可能性があることである。この問題を適切なより硬い材料で製造されたピストンロッドを提供することによって解決することは、前記ピペットの開口部に向けて引き出される前記ピストンロッドの突出端を扱い難いものにしてしまうので、必ずしも望ましいものではない。さらに、ピペットは性質上細身であるため（特に小口径の場合）、要求されるピストンロッドの直径は、前記ピペットから液体を分注する際に前記ピペットの壁に前記ピストンロッドが接触するのを防ぐために必要な硬度を提供するのには不十分な直径である。
この出願の発明に関連する先行技術文献情報としては、以下のものがある（国際出願日以降国際段階で引用された文献及び他国に国内移行した際に引用された文献を含む）。
【特許文献１】欧州特許第０，４９４，７３５号明細書
【特許文献２】米国特許第４，０９８，１２５号明細書
【特許文献３】米国特許第５，４１３，００６号明細書
【特許文献４】米国特許第４，０８４，７３０号明細書
【手続補正書】
【提出日】平成21年7月31日(2009.7.31)
【手続補正１】
【補正対象書類名】特許請求の範囲
【補正対象項目名】全文
【補正方法】変更
【補正の内容】
【特許請求の範囲】
【請求項１】
被験体における神経疾患のスクリーニング又はその診断若しくは予後のための、被験体におけるこのような神経疾患の段階又は重症度を決定するための、このような神経疾患を発病するリスクのある被験体を同定するための、又はこのような神経疾患を有する被験体に施される療法の効果をモニターするための方法であって、前記方法は：
（a）以下のタンパク質アイソフォームファミリー：PIF-1、PIF-2及びPIF-3から選択される少なくとも１つのタンパク質アイソフォームを検出可能な量で含む、被験体からの体液又は組織の試験試料を解析すること；並びに、
（b）前記試験試料中の前記タンパク質アイソフォームの存在量又は別のタンパク質アイソフォームに相対的な前記タンパク質アイソフォームの存在量を、神経疾患がない1人以上からの試験試料中の前記タンパク質アイソフォームの存在量若しくは相対的存在量と、又は神経疾患がない被験体におけるそのタンパク質アイソフォームについて前もって決定された基準範囲と比較することを含み、前記神経疾患のより進行した状態の診断又はそのスクリーニングにおける陽性結果又はその予後は、（i）PIF-1の存在量若しくは相対的存在量の減少及び／又は（ii）PIF-2の存在量若しくは相対的存在量の増大及び／又は（iii）PIF-3の存在量若しくは相対的存在量の減少によって示される、
前記方法。
【請求項２】
前記試料がCSF組織、脳組織、血液又は尿の試料である、請求項1記載の方法。
【請求項３】
前記神経疾患がアルツハイマー病、脳卒中、多発性硬化症及び統合失調症から選択される、請求項1又は2記載の方法。
【請求項４】
前記神経疾患のより進行した状態の診断又はそのスクリーニングにおける陽性結果又はその予後が（i）PIF-1の存在量の減少及び／又は（ii）PIF-2の存在量の増大によって示される、請求項1〜3のいずれか1項記載の方法。
【請求項５】
前記工程（b）が、以下のタンパク質アイソフォームファミリー：PIF-1、PIF-2及びPIF-3の1つ以上のタンパク質アイソフォーム（群）を定量的に検出することを含む、請求項1〜4のいずれか1項記載の方法。
【請求項６】
前記定量的に検出する工程が、前記試料の少なくとも１つの一定分量を試験することを含み、前記試験工程は：
（a）前記一定分量を、予め選択されたタンパク質アイソフォームに対して免疫特異的な親和性試薬と接触させること、及び、
（b）前記親和性試薬と前記一定分量の少なくとも1種との間に生じた何らかの結合を定量的に測定すること、
を含む、請求項5記載の方法。
【請求項７】
前記被験体が、グルタミン酸経路において作用する薬物で治療されており、若しくは、グルタミン酸経路において作用する薬物の評価、試験、又は該薬物による治療のために層別化され、かつ前記方法は治療を最適化するために使用される、請求項1〜6のいずれか1項記載の方法。
【請求項８】
そのN末端に下線を引いた領域内の残基（すなわち、NL...IK）を有し、かつ図2のC末端にて終了する、図2に対応するアミノ酸配列を有するタンパク質。
【請求項９】
N末端にて開始し、かつそのC末端に下線を引いた領域内の残基（すなわちNL...IK）を有する、図2に対応するアミノ酸配列を有するタンパク質。
【請求項１０】
神経疾患の治療又は予防において使用するための、請求項8又は9記載のタンパク質。
【請求項１１】
請求項8又は9記載のタンパク質に免疫特異的に結合する、親和性試薬。
【請求項１２】
神経疾患の治療又は予防において使用するための、請求項11記載の親和性試薬。
【請求項１３】
被験体における神経疾患のスクリーニング又はその診断若しくは予後のためのキットであって、請求項11記載の親和性試薬を含む、前記キット。
【請求項１４】
前記親和性試薬が、抗体、ドメイン抗体、又はアフィボディーである、請求項6又は7記載の方法。
【請求項１５】
前記親和性試薬が、抗体、ドメイン抗体、又はアフィボディーである、請求項11又は12記載の親和性試薬。
【請求項１６】
前記親和性試薬が、抗体、ドメイン抗体、又はアフィボディーである、請求項13記載のキット。
【請求項１７】
請求項1〜7のいずれか1項記載の方法における、請求項11又は12記載の親和性試薬の使用。
【手続補正２】
【補正対象書類名】明細書
【補正対象項目名】００２９
【補正方法】変更
【補正の内容】
【００２９】
診断は、臨床的なもののままである。診断には、時間及び空間的に分散した病変、並びに同じ病像を生じ得るその他の状態の排除が必要である。ポスター基準として公知のMSの臨床的分類には、誘発反応及びMRIの異常、並びにCSFにおける免疫異常が含まれる（Poster C. M.らの文献,（1983）Ann Neurol 13：227-231）。症状時のMSの症候は、研究された集団で変化するが、患者の24％に感覚の症候が、患者の31％ に視神経炎が、患者の17％に肢弱体が、及び患者の25％に脳幹及び小脳の症候が含まれる（Thompson, A. J.らの文献,（1986）Q. J. Med. 225：69-80）。結果として、MSは、広範囲にわたる臨床症状及び経過を有し、かつ任意の所与の患者の臨床経過は、予測不可能である。大部分のMS患者において、それは、再発及び寛解する経過で始まり、この場合、神経性機能障害の発症が数週間持続する。疾患の経過にわたって完治の見込みがないと、患者は、進行性段階（二次進行）に突入する。この段階の疾患の間に、患者は、重篤な不可逆的能力障害を発病する。患者の約1/3は、良性MSを有し、二次進行は発病しない。およそ10％の患者は、再発及び寛解（一次進行性MS）することなく発症から進行性能力障害を発病する。MSにおいて、生化学的な変化は、ほとんど同定されていない。結果として、細胞及び/又は分子が原因となる欠陥及び神経病態の同定、並びに特性付けが、神経疾患の治療の改善のために必要である。悪化又は再発の可能性のため、迅速な診断、特に以下のように患者を分類することは、非常に有益になるであろう：
1.  良性MS対進行性MS 
2.  一次進行性MS対二次進行性MS
3. 一次進行性MS及び二次進行性MSの特異的病態生理学的サブタイプ
【手続補正書】
【提出日】平成21年8月7日(2009.8.7)
【手続補正１】
【補正対象書類名】明細書
【補正対象項目名】発明の名称
【補正方法】変更
【補正の内容】
【発明の名称】混合メディア環境で使用するシステム、捕捉装置及び方法
【手続補正２】
【補正対象書類名】特許請求の範囲
【補正対象項目名】全文
【補正方法】変更
【補正の内容】
【特許請求の範囲】
【請求項１】
第１タイプのメディア及び第２タイプのメディアを利用する混合メディア環境を作成するためのシステムであって、
前記第１タイプのメディアの第１表現を捕捉する捕捉装置と、
前記第１タイプのメディアの第２表現及びインデックスを有する混合メディア書類と前記第１表現とを関連付ける混合メディアプロセッサと、
前記混合メディア書類を格納するメディアストレージと、
前記捕捉装置を前記混合メディアプロセッサに結合する通信機構とを有し、
前記混合メディアプロセッサは、前記第１表現及び前記第２表現を比較し、前記第１表現を前記混合メディア書類に関連付け、前記混合メディアプロセッサは、前記混合メディア書類に対する前記第１表現の関係に応じた処理内容を実行する、システム。
【請求項２】
前記混合メディアプロセッサに結合されたメモリを更に有し、前記メモリは、前記混合メディアプロセッサで実行可能な命令及び／又はデータを格納し、前記メモリは、テキスト又はイメージパッチからコンテンツベースの情報を抽出するコンテンツベース抽出部を含むようにした請求項１記載のシステム。
【請求項３】
複数の混合メディア書類を格納する混合メディアストレージを更に有し、混合メディア書類の各々は第２表現及びインデックスを有し、前記混合メディアストレージは、前記混合メディアプロセッサに結合されるようにした請求項１記載のシステム。
【請求項４】
前記第１表現は、パターン照合に利用可能な少なくとも２行を含む印刷書類のテキスト認証子である請求項１記載のシステム。
【請求項５】
混合メディアシステムの捕捉装置であって、
第１メディアタイプの表現を捕捉する入力装置と、
入力装置及び出力装置に結合され、情報及びコマンドを混合メディアシステムと送受信する通信トランシーバと、
混合メディアプロセッサと、
第２メディアタイプを提示する出力装置と
を有し、前記混合メディアプロセッサは、前記表現を複数の混合メディア書類と比較し、該混合メディア書類の各々は対応する表現を有し、前記混合メディアプロセッサは、前記表現が、照合する混合メディア書類の前記対応する表現と一致する場合、照合する混合メディア書類により指定される処理内容を実行し、
前記出力装置は、該出力装置により出力される命令及びデータを受ける前記混合メディアプロセッサに結合される、捕捉装置。
【請求項６】
前記処理内容が前記第２メディアタイプを出力することであり、前記第２メディアタイプが、データ構造、コマンド、テキスト、オーディオ、ビデオ、イメージ、ディジタル写真、ウェブリンクテキスト、アプリケーションファイル、更新された情報及びサービスを含む群から選択されたものである請求項５記載の捕捉装置。
【請求項７】
前記メディアプロセッサが、テキスト又はイメージパッチからコンテンツベース情報を検索するコンテンツベース抽出部を含み、前記第１メディアタイプの第１表現は、テキストのパッチである請求項５記載の捕捉装置。
【請求項８】
複数の混合メディア書類を格納するストレージ装置を更に有する請求項５記載の捕捉装置。
【請求項９】
前記混合メディアプロセッサは、第１行の一部及び隣接する第２行の一部を含む印刷書類のテキスト認証子を比較することで、前記第１メディアタイプの表現及び対応する表現を比較する請求項５記載の捕捉装置。
【請求項１０】
混合メディア環境で第１メディアタイプ及び第２メディアタイプの書類を利用するための方法であって、
第１メディアタイプの書類の表現を生成するステップと、
前記書類について生成された表現を混合メディア書類に対して索引付けするステップと、
入力表現を取得するステップと、
前記入力表現及び前記生成された表現を比較するステップと、
前記入力表現が前記生成された表現と類似していた場合、前記混合メディア書類で指定されている処理内容を実行するステップと、
を有する方法。
【請求項１１】
第１メディアタイプの書類の表現を生成するステップが、印刷書類のテキストレイアウトを自動的に捕捉するステップを有する請求項１０記載の方法。
【請求項１２】
前記入力表現及び前記生成された表現を比較するステップが、前記入力表現及び前記生成された表現の間でパターン照合を実行するステップを有する請求項１０記載の方法。
【請求項１３】
前記パターンマッチングは、前記入力表現の書類認証子と、前記生成された表現の書類認証子とを比較することで実行され、
前記書類認証子を比較するステップは、捕捉された画像から特徴を抽出するステップと、該特徴から記述子を構築するステップと、ある割合で該記述子を含む書類及びパッチを探すステップとを含む、請求項１２記載の方法。
【手続補正書】
【提出日】平成21年8月7日(2009.8.7)
【手続補正１】
【補正対象書類名】明細書
【補正対象項目名】発明の名称
【補正方法】変更
【補正の内容】
【発明の名称】混合メディア書類システムにおける方法及びコンピュータ読み取り可能な媒体
【手続補正２】
【補正対象書類名】特許請求の範囲
【補正対象項目名】全文
【補正方法】変更
【補正の内容】
【特許請求の範囲】
【請求項１】
混合メディア書類システムで情報を組織化し及び情報にアクセスするためにコンピュータで実行される方法であって、
紙書類の電子表現を生成するステップと、
前記紙書類上の特徴を特定し、該紙書類の２次元的形態を捕捉するステップと、
前記特徴のロケーションを特定するステップと、
前記ロケーションにより前記特徴を索引付けし、インデックステーブルを生成するステップと、
を有する方法。
【請求項２】
前記１つ以上の特徴は、テキスト情報の抽出、図形情報の抽出、プロセスの実行、コマンドの実行、ある順序に並べること、ビデオを抽出すること、音を抽出すること、情報を格納すること、新たな書類を作成すること、書類を印刷すること及び書類を表示することの内の少なくとも１つを含む１つ以上のアクションを含む請求項１記載の方法。
【請求項３】
前記紙書類上の特徴を特定し、該紙書類の２次元的形態を捕捉するステップは、水平方向に並ぶオブジェクト及び垂直方向に並ぶオブジェクトを特定するステップを含む請求項１記載の方法。
【請求項４】
前記紙書類上の特徴を特定し、該紙書類の２次元的形態を捕捉するステップは、水平方向のワードペア及び垂直方向のワードペアを特定するステップを含む請求項１記載の方法。
【請求項５】
前記紙書類上の特徴を特定し、該紙書類の２次元的形態を捕捉するステップは、２つの連続するシーケンス間の垂直方向の重畳量を検査することで、テキストのシーケンスを論理的なラインにグループ化するステップを含む請求項１記載の方法。
【請求項６】
前記検索対象書類を受信するステップと、
検索対象書類の少なくともパッチの画像を作成するステップと、
前記画像に基づいて１つ以上の問い合わせ語句を生成するステップと、
１つ以上の問い合わせ語句を受信し、検索対象書類中のオブジェクト間の２次元的な位置関係を捕捉するステップと、
前記インデックステーブルからのデータに基づいて、前記問い合わせ語句に応じる可能性のある少なくとも１つの混合メディア書類及びロケーション候補を算出するステップと、
を更に有する請求項１記載の方法。
【請求項７】
命令と共にエンコードされるコンピュータ読み取り可能な媒体であって、該命令は１つ以上のプロセッサで実行される場合、混合メディア書類システムで情報を組織化し及び情報にアクセスするためのプロセスを前記１つ以上のプロセッサに実行させ、該プロセスは、
紙書類の電子表現を生成すること、
前記紙書類上の特徴を特定し、該紙書類の２次元的形態を捕捉すること、
前記特徴のロケーションを特定すること、
前記ロケーションにより前記特徴を索引付けし、インデックステーブルを生成すること、
を含むコンピュータ読み取り可能な媒体。
【請求項８】
混合メディア書類システムで情報にアクセスするためにコンピュータで実行される方法であって、
１つ以上の問い合わせ語句を受信し、検索対象書類中のオブジェクト間の２次元的な位置関係を捕捉するステップと、
インデックステーブルからのデータに基づいて、前記問い合わせ語句に応じる可能性のある少なくとも１つの混合メディア書類及びロケーション候補を算出するステップと、
を含み、前記インデックステーブルは、書類特徴及び混合メディア書類の特徴ロケーションを索引付けているようにした方法。
【請求項９】
少なくとも１つの混合メディア書類及びロケーション候補を算出するステップが、
各問い合わせ語句に関連する１つ以上のロケーションを検索するためのインデックステーブルの中で１つ以上の問い合わせ語句各々を調べるステップと、
特定された各ロケーションについて、該ロケーションを含む候補領域の１つ以上を特定するステップと、
を含むようにした請求項８記載の方法。
【請求項１０】
少なくとも１つの混合メディア書類及びロケーション候補を算出するステップが、
前記１つ以上の問い合わせ語句の全てに最も合致する、１つ以上の候補領域の１つを特定するステップと、
前記１つ以上の候補領域の前記１つのものが所定の合致基準を満たすことを確認したことに応じて、該領域を前記検索対象書類に合致するものとして確定するステップと、
を含むようにした請求項９記載の方法。
【手続補正書】
【提出日】平成21年8月7日(2009.8.7)
【手続補正１】
【補正対象書類名】明細書
【補正対象項目名】発明の名称
【補正方法】変更
【補正の内容】
【発明の名称】画像を照合するための方法、システム及びコンピュータ読み取り可能な媒体
【手続補正２】
【補正対象書類名】特許請求の範囲
【補正対象項目名】全文
【補正方法】変更
【補正の内容】
【特許請求の範囲】
【請求項１】
画像を照合するためにコンピュータで実行される方法であって、
第1メディアタイプの少なくとも一部の画像を捕捉装置と共に捕捉するステップと、
データベース中の書類ページコレクションと前記画像を照合するステップと、
前記画像の肯定的な照合結果に応答して、前記書類ページの少なくとも１つの前記書類ページ内の少なくとも１つの位置を返すステップと、
を有する方法。
【請求項２】
前記少なくとも1つの位置が、前記書類ページの少なくとも１つに対するｘ、ｙ座標で指定され、
当該方法は、返される少なくとも１つの位置に関連する類似度の値を返すステップを更に有する請求項１記載のコンピュータで実行される方法。
【請求項３】
第１メディアタイプの少なくとも一部の画像を捕捉するよう動作する捕捉装置と、
捕捉した画像をシンボリックな表現に変換するよう動作する特徴抽出モジュールと、
少なくとも１つの書類ページの身元と前記少なくとも１つの書類ページ内で前記画像が現れる場所とに前記シンボリックな表現を変換するよう動作する分類モジュールと、
を有する画像を処理するシステム。
【請求項４】
書類ページのコレクションを格納するよう動作するデータベースを更に有し、該データベースは、前記分類モジュールと通信可能である請求項３記載のシステム。
【請求項５】
前記捕捉装置が、特徴抽出モジュールを有する請求項３記載のシステム。
【請求項６】
前記捕捉した画像のコンテンツを評価するように動作する品質割当モジュールを更に有し、該評価は、当該システムでの必要性及び能力の少なくとも１つに依存する請求項３記載のシステム。
【請求項７】
前記評価は、前記捕捉した画像のコンテンツがテキストを含むか否かに依存し、かつ前記捕捉した画像中のテキストの鮮明度にも依存する請求項６記載のシステム。  
【請求項８】
第１メディアタイプ及び第２メディアタイプを関連付けるコンピュータで実行される方法であって、
前記第１メディアタイプの少なくとも一部の画像を捕捉装置と共に捕捉するステップと、
捕捉された画像のコンテンツを信頼して処理可能なものとして確認するステップと、
該確認に応答して、前記捕捉された画像をシンボリックな表現に変換するステップと、
少なくとも１つの書類ページの身元及び前記画像が現れる場所に、前記シンボリックな表現を変換するステップと、
前記身元に依存して前記捕捉装置に前記第２メディアタイプを与えるステップと、
を有する方法。
【請求項９】
前記身元に依存してアクションを実行するステップを更に有し、
情報を取り出すこと、ある順序に並べること、ビデオを取り出すこと、音を取り出すこと、情報を格納すること、新たな書類を作成すること、書類又は画像を印刷すること、書類又は画像を表示すること、情報を探すこと及び情報を提示することで構成される群から選択された少なくとも１つで前記アクションが構成される請求項８記載のコンピュータで実行される方法。
【請求項１０】
プロセッサで実行可能な命令を有するコンピュータ読み取り可能な媒体であって、前記命令は、
第１メディアタイプの少なくとも一部である捕捉装置で捕捉された画像を受信するステップと、
前記画像の表現を、データベースに格納されている書類ページのコレクションと照合するステップと、
前記書類ページの少なくとも一部の中での前記画像が現れる場所を特定するステップと、
をコンピュータに実行させるようにしたコンピュータ読み取り可能な媒体。
【手続補正書】
【提出日】平成21年8月7日(2009.8.7)
【手続補正１】
【補正対象書類名】明細書
【補正対象項目名】発明の名称
【補正方法】変更
【補正の内容】
【発明の名称】電子書類にホットスポットを埋め込む方法及びコンピュータプログラム
【手続補正２】
【補正対象書類名】特許請求の範囲
【補正対象項目名】全文
【補正方法】変更
【補正の内容】
【特許請求の範囲】
【請求項１】
ホットスポットに対する指定に対応するマークを電子書類に組み込むステップと、
印刷コマンドに応答して、前記電子書類及び前記ホットスポットの印刷表現に対応する座標を捕捉するステップと、
前記ホットスポットを含む印刷表現を有するページレイアウトを表現するステップと、
を有する書類にホットスポットを組み込む方法。
【請求項２】
マークを電子書類に組み込む前記ステップが、
電子書類をブラウザで表示するために受信するステップであって、前記電子書類は、該電子書類中に前記ホットスポットに対する指定を含むステップと、
前記ホットスポットの前記指定に従って前記電子書類にマークを組み込むことで、前記電子書類を修正するステップであって、前記マークは前記ホットスポットの開始位置及び前記ホットスポットの終了位置を示すステップと、
修正された電子書類を前記ブラウザで表示するステップと、
を更に有する請求項１記載の方法。
【請求項３】
前記座標を捕捉するステップが、前記ホットスポットの前記指定に対応する座標の一部について前記印刷表現を分析するステップを含む請求項１記載の方法。
【請求項４】
前記分析するステップが、動的に関連付けられたライブラリを用いて印刷コマンドを取り出すステップを更に含む請求項３記載の方法。
【請求項５】
ブラウザで表示するために電子書類を受信するステップであって、前記電子書類は、該電子書類中のホットスポットに対する指定を含むステップと、
前記ホットスポットの前記指定に従って前記電子書類にマークを組み込むことで、前記電子書類を修正するステップであって、前記マークは前記ホットスポットの開始位置及び前記ホットスポットの終了位置を示すステップと、
修正された電子書類を前記ブラウザで表示するステップと、
を有する書類にホットスポットを組み込む方法。
【請求項６】
コンピュータ読み取り可能な媒体に格納され、書類にホットスポットを組み込むためのコンピュータプログラムであって、
ホットスポットに対する指定に対応するマークを電子書類に組み込むステップと、
印刷コマンドに応答して、前記電子書類及び前記ホットスポットの印刷表現に対応する座標を捕捉するステップと、
前記ホットスポットを含む印刷表現を有するページレイアウトを表現するステップと、
をコンピュータに実行させるコンピュータプログラム。
【請求項７】
前記座標を捕捉するステップが、前記ホットスポットの前記指定に対応する座標の一部について前記印刷表現を分析するステップを含む請求項６記載のコンピュータプログラム。
【請求項８】
前記分析するステップが、フォワードダイナミックリンクライブラリを用いて印刷コマンドを取り出すステップを更に含む請求項７記載のコンピュータプログラム。
【手続補正書】
【提出日】平成21年7月13日(2009.7.13)
【手続補正１】
【補正対象書類名】特許請求の範囲
【補正対象項目名】全文
【補正方法】変更
【補正の内容】
【特許請求の範囲】
【請求項１】
少なくとも１本の通信ケーブルを受けると共に、通信線及び通信線スプライスを収容するためのエンクロージャであって、
開いた第１の端部から閉じた第２の端部へと長手方向に延びるハウジングであって、前記長手方向に延びる内部空洞を画定し、前記内部空洞が、前記長手方向に対して横断する方向に周囲形状を有するハウジングと、
閉鎖した構成をなすように前記ハウジングの前記開いた第１の端部に取り付けるよう構成された基部部材であって、少なくとも１本の通信ケーブルを通すように構成された少なくとも１個のポートを画定する基部部材と、
基部部材に接続された支持バスケットであって、前記閉鎖した構成において前記ハウジングの前記内部空洞内に長手方向に延び、前記内部空洞の前記周囲形状の第１の部分に実質的に合致するように形作られている支持バスケットと、
支持バスケットに固定され、前記空洞の前記周囲形状の第２の部分に実質的に合致するように形作られている支持バンドと、を備え、
前記支持バスケットおよび前記接続された支持バンドは、前記内部空洞の実質的に周囲全体の周りに延びる、エンクロージャ。
【請求項２】
前記支持バンドは、前記支持バスケットに解放自在に固定されている、請求項１に記載のエンクロージャ。
【請求項３】
前記支持バスケットと前記支持バンドの少なくとも一方は、前記通信線とスプライスとを支持するように構成されており、
前記支持バスケットは、積み重ね可能なスプライストレーとヒンジを有するスプライストレーとから選択されたスプライストレーを支持するように構成されている、請求項１に記載のエンクロージャ。
【請求項４】
更に、前記支持バスケットにより支持される回転可能なトレーを有し、
該トレーは、エンクロージャ内において、分離した第１及び第２の区画を形成するように構成されている、請求項１に記載のエンクロージャ。
【請求項５】
エンクロージャ内において通信線とスプライスとを支持するためのフレームであって、当該エンクロージャは、開いた第１の端部から閉じた第２の端部へと長手方向に延びるハウジングと、閉鎖した構成をなすべく該ハウジングの開いた第１の端部に分離可能に取り付けられるように構成されたベース部材とを有するタイプのエンクロージャであり、ハウジングは長手方向に延びる内部空洞をなし、該内部空洞は長手方向に対して横断する方向に周囲形状を有する、フレームにして、
前記内部空洞の周囲形状の第１の部分に実質的に合致するように形成されると共に、ベース部材に接続されるように構成された支持バスケットであって、前記閉鎖した構成におけるハウジングの内部空洞内において長手方向に延びる支持バスケットと、
該支持バスケットに固定されると共に、前記内部空洞の周囲形状の第２の部分に実質的に合致するように形成された支持バンドと、を有し、
支持バスケットと、それに固定された支持バンドとは、実質的に前記内部空洞の全周の周りに延びる、フレーム。
【手続補正書】
【提出日】平成21年3月9日(2009.3.9)
【手続補正１】
【補正対象書類名】特許請求の範囲
【補正対象項目名】全文
【補正方法】変更
【補正の内容】
【特許請求の範囲】
【請求項１】
ダウンミックス信号及び空間情報信号を受信する段階と、
前記空間情報信号にヘッダが含まれた場合、前記ヘッダから環境設定情報を抽出する段階と、
前記空間情報信号に含まれた空間情報を抽出する段階と、
前記環境設定情報及び前記空間情報を用いて前記ダウンミックス信号を多チャネルオーディオ信号にアップミキシングする段階と、
前記環境設定情報から抽出した多チャネル配列情報を用いて、前記多チャネルオーディオ信号を出力チャネルにマッピングする段階と、
を備えることを特徴とする、オーディオ信号デコーディング方法。
【請求項２】
前記多チャネルオーディオ信号のうちの１つのチャネル信号をマッピングするのに必要な情報量は、
ｌｏｇ２［（全オーディオ信号の個数）−（前記チャネル信号の序数）＋１］の値と等しいか大きい最小の整数であることを特徴とする、請求項１に記載のオーディオ信号デコーディング方法。
【請求項３】
前記チャネル信号に対応する信号配列情報が、前記チャネル信号の順序で多チャネル配列情報に挿入されることを特徴とする、請求項２に記載のオーディオ信号デコーディング方法。
【請求項４】
前記空間情報に前記ヘッダが含まれていない場合、以前の空間情報信号に含まれているヘッダから環境設定情報を抽出する段階を備えることを特徴とする、請求項１に記載のオーディオ信号デコーディング方法。
【請求項５】
前記環境設定情報は、タイムスロットの数、信号変換部の数及びスピーカーマッピング情報を含むことを特徴とする、請求項１に記載のオーディオ信号デコーディング方法。
【請求項６】
前記空間情報は、フレーム識別子、パラメータセットの個数及びタイムスロットの位置情報をさらに含むことを特徴とする、請求項１に記載のオーディオ信号デコーディング方法。
【請求項７】
前記空間情報信号にエラーが発生した場合、前記空間情報のエラーを訂正する段階をさらに備えることを特徴とする、請求項１に記載のオーディオ信号デコーディング方法。
【請求項８】
ダウンミックス信号及び空間情報信号を受信する受信部と、
前記空間情報信号にヘッダが含まれた場合、前記ヘッダから環境設定情報を抽出し、前記空間情報信号に含まれた空間情報を抽出する空間情報デコーディング部と、
前記環境設定情報及び前記空間情報を用いて前記ダウンミックス信号を多チャネルオーディオ信号にアップミキシングする多チャネル生成部と、
前記環境設定情報から抽出した多チャネル配列情報を用いて、前記多チャネルオーディオ信号を出力チャネルにマッピングするスピーカーマッピング部と、
を備えることを特徴とする、オーディオ信号デコーディング装置。
【請求項９】
前記多チャネルオーディオ信号のうちの１つのチャネル信号をマッピングするのに必要な情報量は、
ｌｏｇ２［（全オーディオ信号の個数）−（前記チャネル信号の序数）＋１］の値と等しいか大きい最小の整数であることを特徴とする、請求項８に記載のオーディオ信号デコーディング装置。
【請求項１０】
前記チャネル信号に対応する信号配列情報が、前記チャネル信号の順序で多チャネル配列情報に挿入されることを特徴とする、請求項９に記載のオーディオ信号デコーディング装置。
【請求項１１】
前記空間情報デコーディング部は、前記空間情報に前記ヘッダが含まれていない場合、以前の空間情報信号に含まれているヘッダから環境設定情報を抽出することを特徴とする、請求項８に記載のオーディオ信号デコーディング装置。
【請求項１２】
前記環境設定情報は、タイムスロットの数、信号変換部の数及びスピーカーマッピング情報を含むことを特徴とする、請求項８に記載のオーディオ信号デコーディング装置。
【請求項１３】
前記空間情報は、フレーム識別子、パラメータセットの個数及びタイムスロットの位置情報をさらに含むことを特徴とする、請求項８に記載のオーディオ信号デコーディング装置。
【請求項１４】
前記空間情報デコーディング部は、前記空間情報信号にエラーが発生した場合、前記空間情報のエラーを訂正することを特徴とする、請求項８に記載のオーディオ信号デコーディング装置。
【請求項１５】
オーディオ信号を受信する段階と、
前記オーディオ信号から、分割識別子および未分割の識別子のうち少なくとも一つを含むチャネル構成情報を抽出する段階と、
前記分割識別子と同じ個数の信号変換部前記オーディオ信号をデコーディングする段階と、
を備え、
前記分割識別子および前記未分割の識別子が、少なくとも一つの信号を少なくとも二つの信号にアップミキシングする信号変換部を含むか否かを表し、
上位階層信号に対応する第１の分割識別子が、前記チャネル構成情報に含まれている場合、前記第１の分割識別子の後に現れる分割識別子もしくは未分割の識別子は、前記上位階層信号から分離された下位階層信号に対応することを特徴とする、オーディオ信号デコーディング方法。
【請求項１６】
オーディオ信号を受信する受信部と、
前記オーディオ信号から、分割識別子および未分割の識別子のうち少なくとも一つを含むチャネル構成情報を抽出する空間情報デコーディング部と、
前記分割識別子と同じ個数の信号変換部前記オーディオ信号をデコーディングする多チャネル生成部と、
を備え、
前記分割識別子および前記未分割の識別子が、少なくとも一つの信号を少なくとも二つの信号にアップミキシングする信号変換部を含むか否かを表し、
上位階層信号に対応する第１の分割識別子が、前記チャネル構成情報に含まれている場合、前記第１の分割識別子の後に現れる分割識別子もしくは未分割の識別子は、前記上位階層信号から分離された下位階層信号に対応することを特徴とする、オーディオ信号デコーディング装置。
【手続補正書】
【提出日】平成21年2月20日(2009.2.20)
【手続補正１】
【補正対象書類名】明細書
【補正対象項目名】発明の名称
【補正方法】変更
【補正の内容】
【発明の名称】ラピッドプロトタイプ集積線形超音波変換器検査装置、システム、および方法
【手続補正書】
【提出日】平成21年8月19日(2009.8.19)
【手続補正１】
【補正対象書類名】特許請求の範囲
【補正対象項目名】全文
【補正方法】変更
【補正の内容】
【特許請求の範囲】
【請求項１】
空洞を画定する壁と、前記空洞を覆って配置されている隔膜部とを含む底部基材であって、シリコンを含んでおり、前記空洞は検知対象の環境に対して開放されている、底部基材と、
シリコンを含んでおり、前記底部基材にシリコン溶融結合されているキャップ基材と、
前記底部基材と前記キャップ基材との間に配設されており、前記環境から気密封止されているチャンバと、
前記隔膜部に物理的に連絡して配設されているピエゾ抵抗素子と
を備えた圧力センサ。
【請求項２】
前記キャップ基材は約４００マイクロメートルまでの厚みを含んでいる、請求項１に記載の圧力センサ。
【請求項３】
前記チャンバは前記キャップ基材のキャップ空洞により画定される、請求項１に記載の圧力センサ。
【請求項４】
前記底部基材及び前記キャップ基材の各々がシリコン・オン・インシュレータ型ウェーハでない、請求項１に記載の圧力センサ。
【請求項５】
前記底部基材はｎ型基材であり、前記ピエゾ抵抗素子はｐ型ドープ剤材料を含んでいる、請求項１に記載の圧力センサ。
【請求項６】
電極及び伝導経路をさらに含んでおり、前記電極は前記伝導経路を介して前記ピエゾ抵抗素子に電気的に連絡し、前記底部基材はｎ型基材であり、前記伝導経路及び前記ピエゾ抵抗素子の各々はｐ型ドープ剤材料を含んでいる、請求項１に記載の圧力センサ。
【請求項７】
酸化物層及び該酸化物層の上に配設された窒化物層を含みシリコンを含む底部基材に、ピエゾ抵抗素子及び伝導経路を形成するステップと、
キャップ空洞を含みシリコンを含むキャップ基材を、前記空洞を気密封止してチャンバを形成するように前記底部基材にシリコン溶融結合するステップと、
前記底部基材の壁及び隔膜部により画定される空洞を形成するように前記底部基材の一部をエッチング除去するステップであって、前記ピエゾ抵抗素子は前記隔膜部に物理的に連絡して配設される、エッチング除去するステップと
を備えた圧力センサを製造する方法。
【請求項８】
前記形成するステップは、前記底部基材にｐ型ドープ剤を注入する又は拡散させるステップを含んでいる、請求項７に記載の方法。
【請求項９】
シリコン溶融結合の前に前記窒化物層に電極窓をエッチングするステップをさらに含んでいる請求項７に記載の方法。
【請求項１０】
前記チャンバが環境に開放されて差圧センサを形成するように、前記キャップ基材に第二の空洞をエッチングするステップをさらに含んでいる請求項７に記載の方法。
【請求項１１】
底部基材に酸化物層及び窒化物層を形成するステップであって、前記底部基材はシリコンを含むｎ型基材であり、前記酸化物層は前記底部基材の上に配設され、前記窒化物層は前記酸化物層の上に配設される、形成するステップと、
前記酸化物層及び前記窒化物層が当該ピエゾ抵抗器及び当該伝導経路の各々を被覆するようにピエゾ抵抗器及び伝導経路の各々を形成するために、前記底部基材にｐ型ドープ剤を注入する又は拡散させるステップであって、前記伝導経路は前記ピエゾ抵抗器に電気的に連絡している、注入する又は拡散させるステップと、
キャップ空洞を含みシリコンを含むキャップ基材を、前記空洞を気密封止してチャンバを形成するように前記底部基材にシリコン溶融結合するステップと、
前記底部基材の当該エッチングにより生成される壁及び隔膜部により画定される底部空洞を形成するように前記底部基材の一部をエッチング除去するステップであって、前記ピエゾ抵抗素子は前記隔膜部に物理的に連絡して配設される、エッチング除去するステップと
を備えた圧力センサを製造する方法。
【請求項１２】
電極窓を形成するために、前記窒化物層の前記酸化物層の上に配設されている部分をエッチング除去するステップと、電極を形成するために、前記電極窓に電極材料を配設するステップとをさらに含んでいる請求項１０に記載の方法。
【請求項１３】
前記チャンバが環境に対して開放されて差圧センサを形成するように、前記キャップ基材に第二の空洞をエッチングするステップをさらに含んでいる請求項１０に記載の方法。